(57)【要約】【課題】ユーザが興味を持ったオブジェクトに内蔵されるＲＦＩＤを特定することを課題とする。【解決手段】ＲＦＩＤ特定装置１０は、ＲＦＩＤを一意に識別するＲＦＩＤのＩＤを受信し、ＲＦＩＤが埋め込まれたオブジェクト２０の画像を解析してＲＦＩＤのＩＤを取得し、受信されたＲＦＩＤのＩＤと、画像から取得されたＲＦＩＤのＩＤとを比較し、一致するか判定する。そして、ＲＦＩＤ特定装置１０は、ＲＦＩＤのＩＤが一致すると判定された場合には、当該ＩＤのＲＦＩＤから情報を取得する。【選択図】        図１
2009245310.tif 000002
【特許請求の範囲】
【請求項１】
タグから当該タグを一意に識別する第一のタグＩＤを受信するタグＩＤ受信部と、
前記タグが埋め込まれたオブジェクトの画像を解析して第二のタグＩＤを取得する画像解析部と、
前記タグＩＤ受信部によって受信された前記第一のタグＩＤと、前記画像解析部によって取得された前記第二のタグＩＤとを比較し、一致するか否かを判定するタグＩＤ比較部と、
前記タグＩＤ比較部によって前記第一のタグＩＤと前記第二のタグＩＤが一致すると判定された場合には、前記タグから情報を取得する情報取得部と、
を備えることを特徴とするタグ特定装置。
【請求項２】
前記画像解析部は、前記オブジェクトの画像に埋め込まれたステガノグラフィを解析して前記第二のタグＩＤを取得することを特徴とする請求項１に記載のタグ特定装置。
【請求項３】
前記画像解析部は、複数のオブジェクトを含んだ画像を取得した場合には、当該複数のオブジェクトのうち、いずれかのオブジェクトを選択させるターゲットアイコンを画像内に表示するアイコン表示部をさらに備えることを特徴とする請求項１または２に記載のタグ特定装置。
【請求項４】
前記画像解析部は、複数のオブジェクトを含んだ画像を取得した場合には、当該複数のオブジェクトのうち、画像の中央に近いオブジェクトの画像を解析して前記第二のタグＩＤを取得することを特徴とする請求項１または２に記載のタグ特定装置。
【請求項５】
前記画像解析部は、複数のオブジェクトを含んだ画像を取得した場合には、当該複数のオブジェクトのうち、画像内における面積が大きいオブジェクトの画像を解析して前記第二のタグＩＤを取得することを特徴とする請求項１または２に記載のタグ特定装置。
【請求項６】
前記画像解析部は、複数のオブジェクトを含んだ画像を取得した場合には、当該複数のオブジェクト全ての画像を解析して前記第二のタグＩＤを取得することを特徴とする請求項１または２に記載のタグ特定装置。
【請求項７】
前記タグＩＤ受信部は、前記タグとして、近距離無線のタグから前記第一のタグＩＤを受信することを特徴とする請求項１〜６に記載のタグ特定装置。
【請求項８】
タグから当該タグを一意に識別する第一のタグＩＤを受信するタグＩＤ受信手順と、
前記タグが埋め込まれたオブジェクトの画像を解析して第二のタグＩＤを取得する画像解析手順と、
前記タグＩＤ受信手順によって受信された前記第一のタグＩＤと、前記画像解析手順によって取得された前記第二のタグＩＤとを比較し、一致するか否かを判定するタグＩＤ比較手順と、
前記タグＩＤ比較手順によって前記第一のタグＩＤと前記第二のタグＩＤが一致すると判定された場合には、前記タグから情報を取得する情報取得手順と、
をコンピュータに実行させることを特徴とするタグ特定プログラム。
【請求項９】
タグから当該タグを一意に識別する第一のタグＩＤを受信するタグＩＤ受信工程と、
前記タグが埋め込まれたオブジェクトの画像を解析して第二のタグＩＤを取得する画像解析工程と、
前記タグＩＤ受信工程によって受信された前記第一のタグＩＤと、前記画像解析工程によって取得された前記第二のタグＩＤとを比較し、一致するか否かを判定するタグＩＤ比較工程と、
前記タグＩＤ比較工程によって前記第一のタグＩＤと前記第二のタグＩＤが一致すると判定された場合には、前記タグから情報を取得する情報取得工程と、
を含んだことを特徴とするタグ特定方法。
【発明の詳細な説明】
【技術分野】
【０００１】
この発明は、タグを特定し、特定されたタグから情報を取得するタグ特定装置、タグ特定方法およびタグ特定プログラムに関する。
【背景技術】
【０００２】
近年、ＲＦＩＤによるトレサビリティーによる商品安全管理や、学校の門へのＲＦＩＤの設置など、ＲＦＩＤのチップがモノに埋めこまれ、運用される事例が多くなってきている。このＲＦＩＤタグの種類として、アクティブタグ（近距離無線のタグ）が知られている。
【０００３】
このアクティブタグは、無線の電波到達範囲がある程度の距離をもつため、電波到達範囲内のリーダ装置でもタグを認識する。また、複数のアクティブタグの無線の電波到達範囲内に入った場合には、電波到達範囲内にある全てのアクティブタグの情報を受信する。
【０００４】
また、ＲＦＩＤの位置を推定する技術として、複数のＲＦＩＤリーダ装置とカメラ装置を設置し、ＲＦＩＤの位置を推定する技術が知られている（例えば、特許文献１参照）。具体的には、オブジェクトの画像上のＲＦＩＤリーダ装置の位置と、カメラの位置と向きにより把握して、ＲＦＩＤの位置を推定する。
【０００５】
【特許文献１】特開２００６−２７０４５６号公報
【発明の開示】
【発明が解決しようとする課題】
【０００６】
ところで、上記したように、複数のアクティブタグの無線の電波到達範囲内に入った場合には、全てのアクティブタグから情報を受信してしまうので、例えば、アクティブタグの埋めこまれたオブジェクトがある場合に、ユーザが興味を持った（例えば、ユーザのカメラで捉えられた）オブジェクトに内蔵するアクティブタグを特定し、特定したアクティブタグの情報を取得することはできないという課題があった。
【０００７】
また、上記したＲＦＩＤの位置を推定する技術では、環境に設置されたカメラ装置と複数のリーダ装置を使って、環境内のＲＦＩＤタグの位置を特定するものであるが、ユーザが興味を持った（例えば、ユーザのカメラで捉えられた）オブジェクトに内蔵するＲＦＩＤを特定し、特定したＲＦＩＤの情報を取得することはできないという課題があった。
【０００８】
そこで、この発明は、上述した従来技術の課題を解決するためになされたものであり、ユーザが興味を持ったオブジェクトに内蔵されるＲＦＩＤを特定するタグ特定装置、タグ特定方法およびタグ特定プログラムを提供することを目的とする。
【課題を解決するための手段】
【０００９】
この装置は、タグから当該タグを一意に識別する第一のタグＩＤを受信するタグＩＤ受信部と、前記タグが埋め込まれたオブジェクトの画像を解析して第二のタグＩＤを取得する画像解析部と、前記タグＩＤ受信部によって受信された前記第一のタグＩＤと、前記画像解析部によって取得された前記第二のタグＩＤとを比較し、一致するか否かを判定するタグＩＤ比較部と、前記タグＩＤ比較部によって前記第一のタグＩＤと前記第二のタグＩＤが一致すると判定された場合には、前記タグから情報を取得する情報取得部と、を備えるこことを要件とする。
【発明の効果】
【００１０】
開示の装置は、ユーザが興味を持ったオブジェクトに内蔵されるタグを特定するタグ特定装置、タグ特定方法およびタグ特定プログラムを提供するという効果を奏する。
【発明を実施するための最良の形態】
【００１１】
以下に添付図面を参照して、この発明に係るタグ特定装置、タグ特定方法およびタグ特定プログラムの実施例を詳細に説明する。
【実施例１】
【００１２】
以下の実施例では、実施例１に係るＲＦＩＤ特定装置の構成および処理の流れを順に説明し、最後に実施例１による効果を説明する。なお、以下では、駅の列車案内板（バス停の時刻表、路線図など）にステガノグラフィを埋めこみ、列車案内板の表示内容や案内板に表示されていない情報（これからの電車発車案内など）をユーザ端末（例えば、携帯電話）に表示させる場合の適用例を説明する。
【００１３】
［ＲＦＩＤ特定装置の構成］
まず最初に、図１を用いて、ＲＦＩＤ特定装置１０の構成を説明する。図１は、実施例１に係るＲＦＩＤ特定装置１０の構成を示すブロック図である。同図に示すように、このＲＦＩＤ特定装置１０は、ＲＦＩＤ受信部１１、画像取得部１２、ステガノ解析部１３、ターゲットアイコン表示部１４、ステガノＲＦＩＤマッチング部１５、ＲＦＩＤ情報取得部１６、画像合成部１７および画像表示部１８を備える。以下にこれらの各部の処理を説明する。
【００１４】
ＲＦＩＤ受信部１１は、オブジェクト２０に内蔵されているＲＦＩＤからＲＦＩＤを一意に識別するＩＤの情報を受信する。具体的には、ＲＦＩＤ受信部１１は、無線の電波到達範囲内にある全てのＲＦＩＤから連続的に（断続的に）発信されているＲＦＩＤのＩＤを受信しステガノＲＦＩＤマッチング部１５に通知する。例えば、図２に示す駅構内の例のように、４つのオブジェクトの電波到達範囲内にある場合には、４つのオブジェクト全てからＲＦＩＤのＩＤを受信している。
【００１５】
画像取得部（カメラ）１２は、画像データを取得する。例えば、画像取得部１２は、オブジェクト（例えば、お店や品物、看板、ディスプレイ等）の画像を取得し、ステガノ解析部１３および画像合成部１７に通知する。
【００１６】
ステガノ解析部１３は、ＲＦＩＤが埋め込まれたオブジェクトの画像を解析してＲＦＩＤのＩＤを取得する。具体的には、ステガノ解析部１３は、画像取得部１２から受信した画像に埋め込まれているステガノグラフィを分離デコードし、ＲＦＩＤのＩＤを取得し、ステガノＲＦＩＤマッチング部１５に通知する。
【００１７】
また、ステガノ解析部１３は、複数のオブジェクトを含んだ画像を取得した場合（つまり、画像内に複数のステガノの信号を認識した場合）には、ターゲットアイコンを表示する旨の指示とともに、そのステガノグラフィを認識した画像データ上の位置をターゲットアイコン表示部１４に通知する。
【００１８】
その後、ステガノ解析部１３は、図示しない入力部からターゲットアイコンの選択指示を受け付けた場合には、選択されたオブジェクトのステガノグラフィを分離デコードし、ＲＦＩＤのＩＤを取得し、ステガノＲＦＩＤマッチング部１５に通知する。
【００１９】
ターゲットアイコン表示部１４は、複数のオブジェクトを含んだ画像を取得した場合には、当該複数のオブジェクトのうち、いずれかのオブジェクトを選択させるターゲットアイコンを画像内に表示する。具体的には、ターゲットアイコン表示部１４は、ステガノ解析部１３からターゲットアイコンを表示する旨の指示を受け付けると、ステガノ解析部１３がステガノグラフィを認識した画像データ上の位置にターゲットアイコンを表示する。
【００２０】
例えば、図３に例示するように、カメラの画像枠内にオブジェクト１およびオブジェクト２があり、二つのステガノグラフィの信号を認識した場合には、ターゲットアイコン表示部１４は、オブジェクト１およびオブジェクト２それぞれの場所付近にターゲットアイコンを表示し、どちらの案内板かを選択できるようにする。
【００２１】
ステガノＲＦＩＤマッチング部１５は、ＲＦＩＤ受信部１１によって受信されたＲＦＩＤのＩＤと、ステガノ解析部１３によって取得されたＲＦＩＤのＩＤとを比較し、一致するか判定する。具体的には、ステガノＲＦＩＤマッチング部１５は、ＲＦＩＤ受信部１１から受信したＲＦＩＤのＩＤと、ステガノ解析部１３から受信したＲＦＩＤのＩＤとを比較し、一致したＲＦＩＤをＲＦＩＤ情報取得部１６に通知する。
【００２２】
また、ステガノＲＦＩＤマッチング部１５は、ＲＦＩＤ受信部１１から受信したＲＦＩＤのＩＤが複数である場合には、各ＲＦＩＤのＩＤがステガノ解析部１３から受信したＲＦＩＤのＩＤと一致するか順次比較し、一致したＲＦＩＤをＲＦＩＤ情報取得部１６に通知する。
【００２３】
ＲＦＩＤ情報取得部１６は、ＲＦＩＤのＩＤが一致すると判定された場合には、そのＩＤのＲＦＩＤから情報を要求して取得する。具体的には、ＲＦＩＤ情報取得部１６は、ステガノＲＦＩＤマッチング部１５から通知されたＩＤのＲＦＩＤから情報を取得し、取得した情報を画像合成部１７に通知する。
【００２４】
画像合成部１７は、画像取得部１７から通知された画像データと、ＲＦＩＤ情報取得部１６から通知された情報を合成して画像情報を作成し、画像表示部１８に通知する。画像表示部１８は、画像合成部１７から通知された画像情報を表示する。
【００２５】
ここで、図４を用いて、ＲＦＩＤ特定装置１０の具体的な使用例を説明する。ここでは、ＲＦＩＤ特定装置１０を適用した携帯電話のカメラで、駅構内の案内板の画像情報を取得した場合の例を説明する。同図に示すように、利用者が案内板に携帯電話をかざし、案内板にエンコードされているステガノグラフィコードを読み出し、そのコードが指示するＲＦＩＤの情報にアクセスする。
【００２６】
これにより、利用者が案内板に表示されている内容が見えない場合（例えば、遠くて見えない場合や、これから表示される先の情報や、ステガノグラフィが印字されている面であれば裏側で見えない場合）でも、ＲＦＩＤの情報を取得して、携帯で見ることができる。また、表示板に表示されない付加情報もＲＦＩＤの情報から取得できる。
【００２７】
［オブジェクトの構成］
次に、図５を用いて、図１に示したオブジェクト２０の構成を説明する。図５は、実施例１に係るオブジェクト２０の構成を示すブロック図である。同図に示すように、このオブジェクト２０は、ＲＦＩＤ情報格納部２１、ＲＦＩＤＩＤ送信部２２、ステガノ格納部２３、ＲＦＩＤステガノ変換部２４、ステガノグラフィ書きこみ部２５、画像記憶部２６、画像表示部２７およびＲＦＩＤ情報送信部２８を備える。以下にこれらの各部の処理を説明する。
【００２８】
なお、ここで、オブジェクトとは、ディスプレイなどの画像を表示できるオブジェクトについて説明するが、これに限定されるものではなく、オブジェクトとして、表示部を有さない商品や看板でもよい。この場合、商品や看板の表面にステガノグラフィが埋め込まれる。
【００２９】
ＲＦＩＤ情報格納部２１は、ＲＦＩＤのＩＤおよびＲＦＩＤの情報を記憶する。例えば、図４に例示するように、駅構内の案内板の例では、ＲＦＩＤの情報として、電車の時刻表や乗り換え案内等の情報を記憶する。
【００３０】
ＲＦＩＤＩＤ送信部２２は、ＲＦＩＤのＩＤの情報をＲＦＩＤ情報格納部２１から読み出し、連続的（断続的）に発信している。ステガノ格納部２３は、ステガノグラフィの情報を記憶している。
【００３１】
ＲＦＩＤステガノ変換部２４は、ＲＦＩＤ情報格納部２１からＲＦＩＤのＩＤを取得し、ステガノ格納部２３からステガノグラフィの情報を取得し、ＲＦＩＤのＩＤをステガノグラフィのコードに変換して、ステガノグラフィ書きこみ部２５に通知する。
【００３２】
ステガノグラフィ書きこみ部２５は、ＲＦＩＤステガノ変換部２４から通知されたＲＦＩＤのＩＤをステガノグラフィのコードを用いて、画面表示部２７に表示される画像情報にステガノグラフィを書き込む。
【００３３】
画像記憶部２６は、画像表示部２７に表示する画像情報を記憶する。また、画像記憶部２６は、ネットワークから画像情報を取得し、取得した画像情報を記憶するようにしてもよい。画像表示部２７は、ステガノグラフィ書きこみ部２５によってステガノグラフィが埋め込まれた画像情報を表示する。ＲＦＩＤ情報送信部２８は、ＲＦＩＤ特定装置１０からの要求があると、ＲＦＩＤ情報格納部２１に格納されたＲＦＩＤの情報を取得し、ＲＦＩＤ特定装置１０に送信する。
【００３４】
［ＲＦＩＤ特定装置による処理］
次に、図６を用いて、実施例１に係るＲＦＩＤ特定装置１０による処理を説明する。図６は、実施例１に係るＲＦＩＤ特定装置１０の処理動作を示すフローチャートである。
【００３５】
同図に示すように、ＲＦＩＤ特定装置１０は、利用者からの画像取得要求を受け付けると（ステップＳ１０１）、画像を取得し（ステップＳ１０２）、取得された画像内にステガノグラフィの信号を認識するかを判定する（ステップＳ１０３）。この結果、ＲＦＩＤ特定装置１０は、画像内にステガノグラフィの信号を認識しない場合には（ステップＳ１０３否定）、そのまま処理を終了する。
【００３６】
一方、ＲＦＩＤ特定装置１０は、画像内にステガノグラフィの信号を認識した場合には（ステップＳ１０３肯定）、その認識したステガノグラフィの信号が複数であるか否かを判定する（ステップＳ１０４）。
【００３７】
そして、ＲＦＩＤ特定装置１０は、複数のステガノグラフィの信号を認識した場合には（ステップＳ１０４肯定）、ステガノグラフィを認識した画像データ上の位置にターゲットアイコンを表示し（ステップＳ１０５）、ターゲットアイコンによる選択指示を受け付けると（ステップＳ１０６肯定）、ステガノグラフィを分離してデコードしてＲＦＩＤのＩＤを取得する（ステップＳ１０７）。また、ＲＦＩＤ特定装置１０は、画像内に単一のステガノグラフィの信号を認識した場合には（ステップＳ１０４否定）、ターゲットアイコンを表示せずに、そのステガノグラフィを分離してデコードしてＲＦＩＤのＩＤを取得する（ステップＳ１０７）。
【００３８】
続いて、ＲＦＩＤ特定装置１０は、ＲＦＩＤからＲＦＩＤのＩＤを受信しているかを判定する（ステップＳ１０８）。つまり、ＲＦＩＤ特定装置１０は、ＲＦＩＤの電波到達範囲内にいる場合には、連続的に（断続的に）発信されているＲＦＩＤのＩＤを事前に受信している。
【００３９】
その結果、ＲＦＩＤ特定装置１０は、ＲＦＩＤからＲＦＩＤのＩＤを受信している場合には（ステップＳ１０８肯定）、受信したＲＦＩＤのＩＤと、ステガノグラフィから取得したＲＦＩＤのＩＤとを比較するマッチング処理を行う（ステップＳ１０９）。
【００４０】
そして、ＲＦＩＤ特定装置１０は、マッチしたＩＤのＲＦＩＤから情報を取得し（ステップＳ１１０）、画像データにＲＦＩＤの情報を合成し（ステップＳ１１１）、ＲＦＩＤの情報が合成された画像を表示する（ステップＳ１１２）。
【００４１】
[実施例１の効果]
上述してきたように、ＲＦＩＤ特定装置１０は、ＲＦＩＤから当該ＲＦＩＤを一意に識別するＲＦＩＤのＩＤを受信し、ＲＦＩＤが埋め込まれたオブジェクトの画像を解析してＲＦＩＤのＩＤを取得し、ＲＦＩＤから受信されたＲＦＩＤのＩＤと、画像から取得されたＲＦＩＤのＩＤとを比較し、一致するか判定し、ＲＦＩＤのＩＤが一致すると判定された場合には、当該一致したＩＤのＲＦＩＤから情報を取得するので、ユーザが興味を持ったオブジェクトに内蔵されるＲＦＩＤを特定することが可能である。
【００４２】
また、実施例１によれば、ＲＦＩＤ特定装置１０は、ユーザの興味の対象のオブジェクト（商品、看板、広告など）に付随された付加情報を離れたところ（アクティブタグの無線の到達範囲の距離）から入手することが可能である。
【００４３】
また、実施例１によれば、ＲＦＩＤ特定装置１０は、複数のオブジェクトを含んだ画像を取得した場合には、当該複数のオブジェクトのうち、いずれかのオブジェクトを選択させるターゲットアイコンを画像内に表示するので、ユーザがカメラを向けた（興味をもった）オブジェクトにタグが存在することを気づかせるとともに、カメラを向けたオブジェクトのタグを選択的に受信することが可能である。
【００４４】
また、実施例１によれば、オブジェクトの画像に埋め込まれたステガノグラフィを解析してＲＦＩＤのＩＤを取得するので、オブジェクトに表示されるコンテンツを邪魔せずにＲＦＩＤのＩＤを埋め込むことが可能である。
【実施例２】
【００４５】
さて、これまで本発明の実施例について説明したが、本発明は上述した実施例以外にも、種々の異なる形態にて実施されてよいものである。そこで、以下では実施例２として本発明に含まれる他の実施例を説明する。
【００４６】
（１）オブジェクト選択
上記の実施例１では、ＲＦＩＤの情報から列車案内板の表示内容等の情報を取得して表示する例について説明したが、本発明はこれに限定されるものではなく、ＲＦＩＤの情報から位置情報と地図を取得して経路案内図等を表示するようにしてもよい。
【００４７】
ここでは、図７および図８を用いて、位置情報と地図を取得して経路案内図を表示する例について説明する。図７に例示する駅の案内表示板では、各線（Ａ線〜Ｄ線）ごとに内蔵されているＲＦＩＤに格納される情報として、位置情報（つまり、現在位置と線のホームの位置）と地図情報を格納している。そして、利用者が、ＲＦＩＤ特定装置を適用した携帯端末で、駅の案内表示板（図７の例では、「Ｃ線」）の画像を取得し、実施例１と同様のマッチング処理を行って、ＲＦＩＤの情報（つまり、現在位置とＣ線のホームの位置と地図情報）を取得して、端末上に表示する。
【００４８】
ここで、利用者が経路案内図を要求した場合（図７の例では、画面に表示された「ナビゲーションマップ」を選択した場合）には、現在位置とＣ線のホームの位置と地図情報とを用いて、図８に示すように、Ｃ駅までのナビゲーションが表示された経路案内図を表示する。また、場所が変わり新たな経路案内図もしくは緯度経度情報がしこまれたオブジェクトのそばに来たときには先に取りこんだ経路案内図の現在地を更新するようにしてもよい。
【００４９】
（２）オブジェクト選択
上記の実施例１では、複数のオブジェクトを含んだ画像を取得した場合には、ターゲットアイコンを画像内に表示してオブジェクトを選択する場合を説明したが、本発明はこれに限定されるものではなく、画像の中央に近いオブジェクトを自動で選択するようにしてもよいし、画像内での面積が大きいオブジェクトを自動で選択するようにしてもよい。また、画像内の全てのオブジェクトを選択して全てのＲＦＩＤの情報を取得するようにしてもよい。
【００５０】
このように、複数のオブジェクトを含んだ画像を取得した場合には、当該複数のオブジェクトのうち、画像の中央に近いオブジェクトの画像を解析してＲＦＩＤのＩＤを取得するので、自動で利用者が興味を持ったオブジェクトを判断することが可能である。
【００５１】
また、複数のオブジェクトを含んだ画像を取得した場合には、当該複数のオブジェクトのうち、画像内における面積が大きいオブジェクトの画像を解析してＲＦＩＤのＩＤを取得するので、自動で利用者が興味を持ったオブジェクトを判断することが可能である。
【００５２】
また、複数のオブジェクトを含んだ画像を取得した場合には、当該複数のオブジェクト全ての画像を解析してＲＦＩＤのＩＤを取得するので、画像内にある画像は全て利用者が興味を持ったオブジェクトであるとして、簡易にオブジェクトを判断することが可能である。
【００５３】
（３）オブジェクト
上記の実施例１では、オブジェクトにＲＦＩＤのＩＤをステガノグラフィとして埋め込んだ場合を説明したが、本発明はこれに限定されるものではなく、ステガノグラフィに代えて、ＱＲコードや文字認識などを用いてもよい。
（４）プログラム
ところで、上記の実施例で説明した各種の処理は、あらかじめ用意されたプログラムをコンピュータで実行することによって実現することができる。そこで、以下では、図９を用いて、上記の実施例と同様の機能を有するプログラムを実行するコンピュータの一例を説明する。図９は、ＲＦＩＤ特定プログラムを実行するコンピュータを示す図である。
【００５４】
同図に示すように、ＲＦＩＤ特定装置としてのコンピュータ６００は、ＲＡＭ６２０、ＲＯＭ６３０およびＣＰＵ６４０をバス６５０で接続して構成される。
【００５５】
そして、ＲＯＭ６３０には、上記の実施例と同様の機能を発揮するＲＦＩＤ特定プログラム、つまり、図９に示すように、ＲＦＩＤ受信プログラム６３１、画像解析プログラム６３２、ＩＤ比較プログラム６３３およびＲＦＩＤ情報取得プログラム６３４が予め記憶されている。なお、プログラム６３１〜６３４については、図１に示したＲＦＩＤ特定装置１０の各構成要素と同様、適宜統合または分散してもよい。
【００５６】
そして、ＣＰＵ６４０が、これらのプログラム６３１〜６３４をＲＯＭ６３０から読み出して実行することで、図９に示すように、各プログラム６３１〜６３４は、ＲＦＩＤ受信プロセス６４１、画像解析プロセス６４２、ＩＤ比較プロセス６４３およびＲＦＩＤ情報取得プロセス６４４として機能するようになる。各プロセス６４１〜６４４は、図１に示したＲＦＩＤ受信部１１、ステガノ解析部１３、ステガノＲＦＩＤマッチング部１５、ＲＦＩＤ情報取得部１６にそれぞれ対応する。
【００５７】
また、ＣＰＵ６４０は、ステガノ解析データ６２０およびＲＦＩＤ受信データ６２１をＲＡＭ６２０に格納し、ＲＡＭ６２０に格納されたステガノ解析データ６２０およびＲＦＩＤ受信データ６２１に基づいてステガノ特定処理を実行する。
【図面の簡単な説明】
【００５８】
【図１】実施例１に係るＲＦＩＤ特定装置の構成を示すブロック図である。
【図２】駅構内にあるオブジェクトの例を示す図である。
【図３】ターゲットアイコンの表示例を説明するための図である。
【図４】ＲＦＩＤ特定装置の具体的な使用例を説明するための図である。
【図５】実施例１に係るオブジェクトの構成を示すブロック図である。
【図６】実施例１に係るＲＦＩＤ特定装置の処理動作を示すフローチャートである。
【図７】実施例２に係るＲＦＩＤ特定装置の具体的な使用例を説明するための図である。
【図８】実施例２に係るＲＦＩＤ特定装置の具体的な使用例を説明するための図である。
【図９】ＲＦＩＤ特定プログラムを実行するコンピュータを示す図である。
【符号の説明】
【００５９】
１０  ＲＦＩＤ特定装置
１１  ＲＦＩＤ受信部
１２  画像取得部
１３  ステガノ解析部
１４  ターゲットアイコン表示部
１５  ステガノＲＦＩＤマッチング部
１６  ＲＦＩＤ情報取得部
１７  画像合成部
１８  画像表示部
２０  オブジェクト
２１  ＲＦＩＤ情報格納部
２２  ＲＦＩＤＩＤ送信部
２３  ステガノ格納部
２４  ＲＦＩＤステガノ変換部
２５  ステガノグラフィ書きこみ部
２６  画像記憶部
２７  画像表示部
２８  ＲＦＩＤ情報送信部
【図１】
2009245310.tif 000003
【図２】
2009245310.tif 000004
【図３】
2009245310.tif 000005
【図４】
2009245310.tif 000006
【図５】
2009245310.tif 000007
【図６】
2009245310.tif 000008
【図７】
2009245310.tif 000009
【図８】
2009245310.tif 000010
【図９】
2009245310.tif 000011